(57)【要約】  本発明にかかるチャネル品質報告方法は、通信システムを構成する各端末が、システム周波数帯域において品質測定を行い、さらに、データ通信に使用している周波数群よりも品質の良好な周波数群および当該周波数群を含む周波数グループが検出されていない場合には、前記データ受信に使用している周波数群を含む複数の周波数群で形成された周波数グループのチャネル品質情報を報告し、一方で、データ通信に使用している周波数群よりも品質の良好な周波数群および当該周波数群を含む周波数グループが検出された場合には、前記品質の良好な周波数群を含む複数の周波数群で形成された特定の周波数グループに切り替えてチャネル品質情報を報告する。
2007125702.tif 000002
【特許請求の範囲】
【請求項１】
少なくとも１つの基地局とその基地局がカバーするサービスエリアに存在する複数（１つを含む）の端末とから構成された通信システムにおいて、各端末が、周波数軸上の複数のチャネルについて測定したチャネル品質情報を、スケジューリング機能を持つ基地局に報告するチャネル品質報告方法であって、
システム周波数帯域全体、または、データ通信で使用している周波数群を含むシステム周波数帯域の一部、について品質測定を行う品質測定ステップと、
データ通信に使用している周波数群よりも品質の良好な周波数群、および当該周波数群を含む周波数グループが検出されていない場合には、前記データ受信に使用している周波数群を含む複数の周波数群で形成された周波数グループのチャネル品質情報を報告し、一方で、データ通信に使用している周波数群よりも品質の良好な周波数群、および当該周波数群を含む周波数グループが検出された場合には、前記品質の良好な周波数群を含む複数の周波数群で形成された特定の周波数グループに切り替えてチャネル品質情報を報告するチャネル品質報告ステップと、
を含むことを特徴とするチャネル品質報告方法。
【請求項２】
前記チャネル品質報告ステップでは、前記検出処理において、
データ通信に使用している周波数グループを構成する各周波数群におけるチャネル品質の平均値（データ通信用チャネル品質平均値）と、他の周波数グループにおけるチャネル品質の平均値と、をそれぞれ比較することにより、より品質の良好な周波数群および周波数グループを検出することを特徴とする請求項１に記載のチャネル品質報告方法。
【請求項３】
前記チャネル品質報告ステップでは、前記検出処理において、
データ通信に使用している周波数グループを構成する各周波数群におけるチャネル品質の平均値（データ通信用チャネル品質平均値）と、前記測定結果として得られる最大チャネル品質の周波数群を含む周波数グループにおけるチャネル品質の平均値と、をそれぞれ比較することにより、より品質の良好な周波数群および周波数グループを検出することを特徴とする請求項１に記載のチャネル品質報告方法。
【請求項４】
前記周波数グループの切り替えタイミングは、前記データ通信に使用している周波数群よりも品質の良好な周波数群が検出され、かつ、受信失敗の確率が規定のしきい値を超えたとき、とすることを特徴とする請求項１、２または３に記載のチャネル品質報告方法。
【請求項５】
前記周波数グループの切り替えタイミングは、前記データ通信に使用している周波数群よりも品質の良好な周波数群が検出され、かつ、データ受信が成功したとき、とすることを特徴とする請求項１、２または３に記載のチャネル品質報告方法。
【請求項６】
少なくとも１つの基地局とその基地局がカバーするサービスエリアに存在する複数（１つを含む）の端末とから構成された通信システムにおいて、各端末が、周波数軸上の複数のチャネルについて測定したチャネル品質情報を、スケジューリング機能を持つ基地局に報告するチャネル品質報告方法であって、
システム周波数帯域全体について品質測定を行う品質測定ステップと、
前記システム周波数帯域全体を複数の周波数グループに分け、前記品質測定結果に基づいて、前記周波数グループ単位にチャネル品質情報を報告するチャネル品質報告ステップと、
を含むことを特徴とするチャネル品質報告方法。
【請求項７】
少なくとも１つの基地局とその基地局がカバーするサービスエリアに存在する複数（１つを含む）の端末とから構成された通信システムにおいて、各端末が、周波数軸上の複数のチャネルについて測定したチャネル品質情報を、スケジューリング機能を持つ基地局に報告するチャネル品質報告方法であって、
システム周波数帯域全体について品質測定を行う品質測定ステップと、
前記システム周波数帯域全体を複数の周波数グループに分け、報告タイミング毎に、チャネル品質情報を報告する周波数グループを、巡回させるチャネル品質報告ステップと、
を含むことを特徴とするチャネル品質報告方法。
【請求項８】
少なくとも１つの基地局とその基地局がカバーするサービスエリアに存在する複数（１つを含む）の端末とから構成された通信システムにおいて、各端末が、周波数軸上の複数のチャネルについて測定したチャネル品質情報を、スケジューリング機能を持つ基地局に報告するチャネル品質報告方法であって、
システム周波数帯域全体、または、データ通信で使用している周波数群を含むシステム周波数帯域の一部、について品質測定を行う品質測定ステップと、
データ通信に使用している周波数群よりも品質の良好な周波数群、および当該周波数群を含む周波数グループが検出されていない場合には、前記データ受信に使用している周波数群を含む複数の周波数群で形成された周波数グループのチャネル品質情報を報告し、一方で、データ通信に使用している周波数群よりも品質の良好な周波数群、および当該周波数群を含む周波数グループが検出された場合には、これまでのチャネル品質情報の報告を継続するとともに、前記品質の良好な周波数群を含むように報告対象周波数グループの切り替えを要求する切替要求ステップと、
前記基地局から報告対象周波数グループの切り替えを指示された場合に、指示された周波数群を含む複数の周波数群で形成された特定の周波数グループのチャネル品質情報を報告するチャネル品質報告ステップと、
を含むことを特徴とするチャネル品質報告方法。
【請求項９】
前記切替要求ステップでは、前記検出処理において、
データ通信に使用している周波数グループを構成する各周波数群におけるチャネル品質の平均値（データ通信用チャネル品質平均値）と、他の周波数グループにおけるチャネル品質の平均値と、をそれぞれ比較することにより、より品質の良好な周波数群および周波数グループを検出することを特徴とする請求項８に記載のチャネル品質報告方法。
【請求項１０】
前記切替要求ステップでは、前記検出処理において、
データ通信に使用している周波数グループを構成する各周波数群におけるチャネル品質の平均値（データ通信用チャネル品質平均値）と、前記測定結果として得られる最大チャネル品質の周波数群を含む周波数グループにおけるチャネル品質の平均値と、をそれぞれ比較することにより、より品質の良好な周波数群および周波数グループを検出することを特徴とする請求項８に記載のチャネル品質報告方法。
【請求項１１】
前記切替要求ステップにおいては、前記要求時、品質の最も良好な周波数群と当該周波数群を含む周波数グループを特定することが可能な情報とのいずれか一方、または、その両方、を通知することを特徴とする請求項８に記載のチャネル品質報告方法。
【請求項１２】
前記報告対象周波数グループの切り替えを要求するタイミングは、前記データ通信に使用している周波数群よりも品質の良好な周波数群が検出され、かつ、受信失敗の確率が規定のしきい値を超えたとき、とすることを特徴とする請求項８〜１１のいずれか一つに記載のチャネル品質報告方法。
【請求項１３】
前記報告対象周波数グループの切り替えを要求するタイミングは、前記データ通信に使用している周波数群よりも品質の良好な周波数群が検出され、かつ、データ受信が成功したとき、とすることを特徴とする請求項８〜１１のいずれか一つに記載のチャネル品質報告方法。
【請求項１４】
少なくとも１つの基地局とその基地局がカバーするサービスエリアに存在する複数（１つを含む）の端末とから構成された通信システムにおいて、基地局が、各端末が測定したチャネル品質情報に基づいてスケジューリングを行うスケジューリング方法であって、
特定の端末からチャネル品質情報の報告対象周波数グループ（複数の周波数群で形成）の切り替えを要求された基地局が、当該要求時に通知される、現在データ通信に使用している周波数群よりも品質の良好な周波数群に関する情報に基づいて、システムとして利益があると判断した場合に、前記報告対象周波数グループの切り替えを許可し、前記特定の端末に対して当該報告対象周波数グループの切り替えを指示することを特徴とするスケジューリング方法。
【請求項１５】
前記基地局が、前記要求時に端末から通知された周波数グループと異なる周波数グループに切り替えることを決定した場合には、当該決定した周波数グループを特定するための情報を前記特定の端末に通知することを特徴とする請求項１４に記載のスケジューリング方法。
【請求項１６】
請求項１に記載のチャネル品質報告方法を実行する複数の端末と、
前記端末から受信するチャネル品質情報に基づいてスケジューリング処理を行う基地局と、
を備えることを特徴とする通信システム。
【請求項１７】
請求項６に記載のチャネル品質報告方法を実行する複数の端末と、
前記端末から受信するチャネル品質情報に基づいてスケジューリング処理を行う基地局と、
を備えることを特徴とする通信システム。
【請求項１８】
請求項７に記載のチャネル品質報告方法を実行する複数の端末と、
前記端末から受信するチャネル品質情報に基づいてスケジューリング処理を行う基地局と、
を備えることを特徴とする通信システム。
【請求項１９】
請求項８に記載のチャネル品質報告方法を実行する複数の端末と、
請求項１４に記載のスケジューリング方法を実行する基地局と、
を備えることを特徴とする通信システム。
【請求項２０】
請求項１に記載のチャネル品質報告方法を実行することを特徴とする端末。
【請求項２１】
請求項６に記載のチャネル品質報告方法を実行することを特徴とする端末。
【請求項２２】
請求項７に記載のチャネル品質報告方法を実行することを特徴とする端末。
【請求項２３】
請求項８に記載のチャネル品質報告方法を実行することを特徴とする端末。
【請求項２４】
請求項１４に記載のスケジューリング方法を実行するスケジューラ、を備えることを特徴とする基地局。
【発明の詳細な説明】
【技術分野】
【０００１】
本発明は、少なくとも１つの基地局とその基地局がカバーするサービスエリアに存在する複数（１つを含む）の端末とから構成された通信システムにおいて採用可能なチャネル品質（ＣＱＩ）報告方法およびスケジューリング方法に関するものであり、特に、品質状態を測定する機能と当該測定結果を用いて複数の通信チャネルをスケジューリングする機能とを有する、通信システムにおいて採用可能なチャネル品質報告方法およびスケジューリング方法に関するものである。
【背景技術】
【０００２】
現在、３ＧＰＰにおいて、新たな無線方式を採用した無線ネットワークの検討がＬＴＥ（Long  Term  Evolution）の名の下でなされている。この無線方式では、周波数軸上に複数の通信チャネルを定義し、品質状態に応じて、通信に使用する周波数軸上のチャネルを選択することになる（周波数スケジューリング）。下記非特許文献１には、「チャネル品質情報（以後、ＣＱＩと称する）をスケジューリング要素の一つとする。」との記述がある。【０００３】
図９は、上記従来の周波数スケジューリングの様子を示す図であり、システム周波数帯域が周波数群＃１〜＃ｎに分けられ、時間軸方向のサブフレーム単位でスケジューリングを行う。すなわち、基地局は、サブフレーム周期で各端末（以後、ＵＥと呼ぶ）に適切な周波数群を選択して割り当てる。たとえば、ＵＥ＃１には、最初の２つのサブフレームにおいては周波数群＃１を割り当てているが、５つ目のサブフレームにおいては周波数群＃２を割り当てている。これは、時間の経過に伴って、周波数群＃１のチャネル品質よりも周波数群＃２のチャネル品質の方が、状態が良くなったことに起因する。【０００４】
【非特許文献１】3GPP  TR25.814  V1.2.1  7.1.2.1節
【発明の開示】
【発明が解決しようとする課題】
【０００５】
上記従来のスケジューリング処理を行うためには、ＣＱＩをスケジューラに報告する必要がある。すなわち、下り回線（基地局→ＵＥ）についてスケジューリングを行うためには、ＵＥで測定したＣＱＩをスケジューラが存在する基地局に報告しなければならない。また、スケジューリング対象の全ＵＥが、上り回線を使用して、全周波数群のＣＱＩを時間的にこまめに報告することにより、下り回線のスループットを向上させることができる。【０００６】
しかしながら、上記従来のスケジューリング処理を行う場合に、上記のようにＣＱＩを報告すると、逆に上り回線の逼迫を生み、上り回線のスループットが大幅に低下する可能性がある。一方で、上り回線のスループットの低下を回避するためには、ＣＱＩの報告頻度を下げ、一回の報告量も少なくすることが望ましい。【０００７】
すなわち、上記従来のスケジューリング処理を行う場合には、下りスループットの向上と上り回線の報告量削減という、相反する要求を満たすことが必要となる。【０００８】
たとえば、文献“3GPP  TR25.814  V1.2.1  7.1.3.1.1.1.1節”には、下記に示すＣＱＩ報告方法が記述されている。
１．Only  feedback  information  from  the  top  M  strongest  CQI  bands
２．Differential  feedback  information  in  time  or  frequency
３．Bitmap  techniques  indicating  which  bands  reflect  a  reported  CQI  value
４．Hierarchical  Tree  structure  based  approaches
５．Using  a  set  of  (orthogonal)  functions  to  approximate  frequency  selective  fading  profile  (e.g.  DCT)【０００９】
上記２．は、絶対値報告を行う一つのＣＱＩを基本として、時間または周波数で隣り合う周波数群のＣＱＩを差分で報告するものである。しかしながら、変化が早い（品質変動幅が大きい）場合には、差分報告でも所要ビット数が増加し、全ＣＱＩの絶対値を報告する場合と同様となる。上記３．と４．は、一度に一つのＣＱＩ値のみ報告するものであり、全ＣＱＩの更新には時間がかかってしまう欠点がある。また、上記５．は、ＤＣＴ（Discrete  Cosine  Transform）を使用するものであるが、特性が悪いことが分かっている。また、上記１．は、品質の良い上位Ｍ個のＣＱＩを報告するものであるが、周波数スケジューリングとの親和性はよいが、システム周波数帯域が広い場合、スケジューラ効果を得るためにはＭの値を大きく取る必要があり、結局、所要報告ビット数が増えてしまう。【００１０】
本発明は、上記に鑑みてなされたものであって、下りスループットを維持しつつ、上り回線の報告量削減を実現するチャネル品質報告方法およびスケジューリング方法を得ることを目的とする。
【課題を解決するための手段】
【００１１】
上述した課題を解決し、目的を達成するために、本発明にかかるチャネル品質報告方法は、少なくとも１つの基地局とその基地局がカバーするサービスエリアに存在する複数（１つを含む）の端末とから構成された通信システムにおいて、各端末が、周波数軸上の複数のチャネルについて測定したチャネル品質情報を、スケジューリング機能を持つ基地局に報告するチャネル品質報告方法であって、たとえば、システム周波数帯域全体、または、データ通信で使用している周波数群を含むシステム周波数帯域の一部、について品質測定を行う品質測定ステップと、データ通信に使用している周波数群よりも品質の良好な周波数群、および当該周波数群を含む周波数グループが検出されていない場合には、前記データ受信に使用している周波数群を含む複数の周波数群で形成された周波数グループのチャネル品質情報を報告し、一方で、データ通信に使用している周波数群よりも品質の良好な周波数群、および当該周波数群を含む周波数グループが検出された場合には、前記品質の良好な周波数群を含む複数の周波数群で形成された特定の周波数グループに切り替えてチャネル品質情報を報告するチャネル品質報告ステップと、を含むことを特徴とする。
【発明の効果】
【００１２】
この発明によれば、下りスループットを維持しつつ、上り回線の報告量削減を実現することができる、という効果を奏する。
【図面の簡単な説明】
【００１３】
【図１−１】図１−１は、本発明にかかるチャネル品質報告方法の概要を示す図である。
【図１−２】図１−２は、本発明にかかるチャネル品質報告方法の概要を示す図である。
【図２】図２は、データ受信の周波数群数とＣＱＩ報告の周波数群数が異なる場合の一例を示す図である。
【図３】図３は、実施の形態１の基地局および端末の構成例を示す図である。
【図４】図４は、品質情報整理部による品質比較処理を示す図である。
【図５】図５は、実施の形態２の動作シーケンスを示す図である。
【図６】図６は、実施の形態２の基地局および端末の構成例を示す図である。
【図７】図７は、周波数グループの構成方法を示す図である。
【図８】図８は、周波数グループの構成方法を示す図である。
【図９】図９は、従来の周波数スケジューリングの様子を示す図である。
【符号の説明】
【００１４】
１１  受信／復調部
１２  受信信号解析部
１３  スケジューリング部
１４  変調／送信部
１５  データバッファ部
２１  受信／復調／測定部
２２  品質情報整理部
２３  ＡＣＫ／ＮＡＣＫ生成部
２４  送信信号選択部
２５  変調／送信部
２６  報告切替判断部
【発明を実施するための最良の形態】
【００１５】
以下に、本発明にかかるチャネル品質報告方法、スケジューリング方法、通信システム、端末および基地局の実施の形態を図面に基づいて詳細に説明する。なお、この実施の形態によりこの発明が限定されるものではない。【００１６】
実施の形態１．
図１−１は、本発明にかかるチャネル品質報告方法の一例を示す図である。基地局とともに通信システムを構成する各端末（ＵＥ）は、時間Ｔ１で周波数群＃１，＃２，＃３，＃４を使ってデータを受信し、さらに、ＣＱＩ報告についても周波数群＃１，＃２，＃３，＃４から成る周波数グループにおいて実施している。また、時間Ｔ２においては、同様に周波数群＃１，＃２，＃３，＃４でデータを受信しつつ、新たにチャネル品質が良好な他の周波数群および周波数グループが検出されたため、その周波数グループでＣＱＩ報告を行っている（周波数群＃６，＃７，＃８，＃９）。その後、時間Ｔ３においては、データ受信として周波数群＃６，＃７，＃８，＃９を使用しつつ、ＣＱＩ報告も周波数群＃６，＃７，＃８，＃９で実施している。【００１７】
また、図１−２も、本発明にかかるチャネル品質報告方法の一例を示す図であり、時間Ｔ２までは図１−１と同じである。時間Ｔ３においては、データ受信が周波数群＃１，＃２，＃３，＃４で実施されたため、ＣＱＩ報告も周波数群＃１，＃２，＃３，＃４に戻して実施している。この場合、一定時間後に再び品質の良好な別の周波数群が存在する場合、時間Ｔ２での動作を上記と同様に行う。【００１８】
なお、図１−１および図１−２において、データ受信の周波数群の数とＣＱＩ報告の周波数群の数とは一致している必要がなく、ＣＱＩ報告の周波数群、すなわち、ＣＱＩ報告グループは、データ受信周波数群を含む周波数群から形成されるものとする。図２は、データ受信の周波数群の数とＣＱＩ報告の周波数群の数が異なる場合の一例を示す図である。ここでは、データ受信周波数群の数が２、ＣＱＩ報告周波数群の数が４、の場合を示している。ただし、ＣＱＩ報告グループがいくつの周波数群から形成されるかについては、システム設定とし、ＵＥが電源ＯＮによって無線システムに登録されたとき、または、通信を開始したとき、などに基地局を含む無線ネットワークからＵＥに通知される。【００１９】
図３は、本発明にかかるチャネル品質報告方法を実現するための通信システム、すなわち、基地局および端末の構成例を示す図である。図３において、基地局は、受信／復調部１１と、受信信号解析部１２と、スケジューリング部１３と、変調／送信部１４と、データバッファ部１５と、を備え、端末（ＵＥ）は、受信／復調／測定部２１と、品質情報整理部２２と、ＡＣＫ／ＮＡＣＫ生成部２３と、送信信号選択部２４と、変調／送信部２５と、を備えている。【００２０】
まず、ＵＥでは、品質測定のため、受信／復調／測定部２１が、基地局から送られてくるパイロット信号を受信する。このとき、最新のデータ受信で使用した周波数群を含むすべての周波数群（システム周波数帯域）または一部の周波数群について品質測定を行う。そして、受信／復調／測定部２１にて得られた品質情報（たとえば、受信信号レベル）を品質情報整理部２２へ転送する。【００２１】
つぎに、品質情報整理部２２では、データ受信に使用した周波数群を含むグループよりも品質の良好な周波数群、およびそれらの周波数群を含むグループ、の存在有無を検索する。そして、その検索結果から、報告するべき周波数群のＣＱＩを送信信号選択部２４へ送る。【００２２】
一方、受信／復調／測定部２１では、ＵＥ向けのデータについても受信し、その場合には、復号結果（受信成功／失敗）をＡＣＫ／ＮＡＣＫ生成部２３に送る。ＡＣＫ／ＮＡＣＫ生成部２３では、得られた復号結果に基づいてＡＣＫまたはＮＡＣＫを生成する。【００２３】
つぎに、送信信号選択部２４は、予め規定されているタイミングで、入力されるＣＱＩとＡＣＫ／ＮＡＣＫのうち、送信する信号を選択する。なお、両方の信号を送信する場合もある。選択された信号は、変調／送信部２５へ送られ、変調／送信部２５では、無線信号として、ＣＱＩ、ＡＣＫ／ＮＡＣＫ、またはＣＱＩおよびＡＣＫ／ＮＡＣＫを、基地局に向けて送信する。【００２４】
基地局においては、受信／復調部１１にて受け取った信号を受信信号解析部１２へ送る。受信信号解析部１２では、受信信号をＣＱＩ，ＡＣＫ／ＮＡＣＫ，その他の信号、に分離／識別し、ＣＱＩおよびＡＣＫ／ＮＡＣＫ情報をスケジューリング部１３へ送る。【００２５】
つぎに、スケジューリング部１３は、得られたＣＱＩに基づいて送るべきデータを割り当てる周波数群の選択を行い、さらに、適切な変調方式，誤り訂正冗長度などを決定する。なお、スケジューリング部１３は、最新のＣＱＩ報告値を使用するほか、最新のＣＱＩ値報告値がない周波数チャネルについては、過去の報告値を使う。また、ＡＣＫ／ＮＡＣＫの結果により新規データを送信するか、既に１回以上送ったデータの再送を行うか、を判断する。そして、スケジューリング部１３は、データとともに、選択した周波数群，変調方式，誤り訂正冗長度などの情報を変調／送信部１４に送る。【００２６】
つぎに、変調／送信部１４が、誤り訂正，変調を行った後、生成した無線信号をＵＥへ送信する。なお、この無線信号が送信された周波数チャネル、およびその他の用途で使用された周波数チャネルにおいても、適宜パイロット信号が挿入されている。また、データバッファ部１５は、上位レイヤから到着した各ＵＥ向けのデータをバッファリングしている。【００２７】
なお、ＵＥの品質情報整理部２２による処理（品質比較）を実行する際には、複数通りの方法が考えられる。たとえば、ＣＱＩ報告に用いている現在の周波数グループの平均ＣＱＩと、他の周波数グループの平均ＣＱＩと、を比較する方法である。この方法を図４に示す。図４では、現在の周波数グループを構成する周波数群を一つずつずらし、それぞれ４つの群からなる周波数グループをＢからＭまで定義している。現在、データを受信している周波数群は＃２，＃３であり、ＣＱＩ報告に用いている現在の周波数グループはＡである。この周波数グループＡとその他のグループＢ〜Ｍとをそれぞれ比較し、Ａよりも平均ＣＱＩ値が高い周波数グループが検出されれば、その周波数グループを次回のＣＱＩ報告の対象とする。図４の例では、グループＦが次回のＣＱＩ報告の対象である。ただし、上記のように検出した周波数グループが最大ＣＱＩ値を持つ周波数群を含んでいるとは限らない。【００２８】
また、品質情報整理部２２による別の品質比較方法として、たとえば、最大ＣＱＩ値を持つ周波数群を含むグループのみを比較対象とする方法も考えられる。図４の例では、最大ＣＱＩ値の周波数群＃７を含むグループＤ，Ｅ，Ｆ，Ｇのみが比較対象となる。【００２９】
以上、説明したように、ＣＱＩ報告は、通常、データ受信に使用している周波数群を含む限定した範囲内に留め、それよりも良好な品質を持つ周波数群グループを検出した場合に、そちらのＣＱＩ値を報告することとした。これにより、ＣＱＩ報告の報告量が削減でき、かつ、必要な情報（スケジューラが選択する品質の良好な周波数群のＣＱＩ情報）は送っているため、スループットには影響がない。また、従来の問題点としてあげた“１．”の方式に比べて、まとまった周波数群のＣＱＩ値を報告しているため、まとまった周波数群を一つのＵＥに割り当てるスケジューリング方法と親和性がよい。【００３０】
なお、本実施の形態においては、報告のタイミング毎（たとえば図１−１の時間Ｔ１，Ｔ２，Ｔ３…に相当）に比較対象周波数グループの品質比較を行い、その中からＣＱＩ報告を行う周波数グループの検出を行っていたが、これに限らず、上記報告タイミング毎に品質比較を行うことなく、ＣＱＩ報告を行う周波数グループを報告タイミング毎に巡回させることとしてもよい。具体的には、たとえば、図４に示す周波数グループＡ〜Ｍを報告対象周波数グループとした場合、ある報告タイミングＴ１でグループＡ、次の報告タイミングＴ２で周波数グループＢ、さらに次の報告タイミングＴ３で周波数グループＣ、…というように、ＣＱＩ報告を行い、さらに、周波数グループＭのＣＱＩ報告を行った次の報告タイミングでは周波数グループＡのＣＱＩ報告を行い、以降、報告タイミング毎に、ＣＱＩ報告を行う周波数グループを同様に巡回させる。この場合、品質情報整理部２２では、品質比較を行わずに、単に巡回的に、報告するべき周波数群または周波数グループのＣＱＩを送信信号選択部２４へ送ることとなる。【００３１】
また、上記のように、ＣＱＩ報告を行う周波数グループを巡回させる場合は、一度の報告タイミングにおける報告周波数グループ数を一つに限定する必要はなく、一度に複数の周波数グループについてＣＱＩ報告を行うこととしてもよい。【００３２】
実施の形態２．
つづいて、実施の形態２の特徴的な動作である報告切替要求について説明する。本実施の形態のＵＥは、図４を使って説明した比較動作を行うが、より良好な品質の周波数グループを検出した場合に直接新たな周波数グループのＣＱＩ報告を行うのではなく、その存在を知らせるための報告切替要求をスケジューラに通知する。【００３３】
図５は、実施の形態２の動作シーケンスを示す図である。ＵＥは、基地局が送信するパイロット信号を受信することで（ステップＳ１）各周波数群の品質を測定し、さらに、図４で説明した品質比較を行い、より良好な周波数グループを検出できなかった場合、上記で測定した前回と同じ周波数グループのＣＱＩ値を報告する（ステップＳ２）。【００３４】
つぎに、ＵＥでは、上記と同様に、基地局が送信するパイロット信号を受信し（ステップＳ３）、さらに、図４で説明した品質比較を行い、それまでにＣＱＩ報告を行っていた周波数グループよりも品質の良好な周波数グループ（周波数群）を検出した場合に、これまで通りのＣＱＩ報告とともに、上記で検出された品質の良好な周波数群を含む周波数グループへの切り替えを要求するための報告切替要求を送信する（ステップＳ４）。このとき、報告切替要求として、最良周波数群と先頭周波数群のどちらか、または両方、を通知する。図５では、両方を通知している例を示している。なお、最良周波数とは、新たなグループの中で最大のＣＱＩ値を持つ周波数群を表し、先頭周波数群とは、最良周波数を持つ周波数グループ（図４の説明により決定した周波数グループ）の中で先頭の周波数群（低い周波数を持つ周波数群）を表す。また、先頭の周波数群に限らず、グループを特定することができれば、その他の情報でもよい。【００３５】
つぎに、報告切替要求を受け取ったスケジューラ（スケジューリング部１３に相当）は、他ＵＥの状況についても考慮し、システム的にまたは要求してきたＵＥにとって利益があると判断する場合に、報告対象周波数グループの切り替えを指示するための報告切替指示を出す（ステップＳ５）。なお、必ずしもＵＥから要求のあった周波数グループに切り替えるわけではなく、周波数群を一つや二つ、あるいはそれ以上ずらしたグループを使用する場合もある。この場合には、報告切替指示の中に、スケジューラが決定した先頭周波数群の情報を加える。【００３６】
つぎに、報告切替指示を受け取ったＵＥは、パイロット信号を受信すると（ステップＳ６）、新たな周波数グループについてＣＱＩ報告を行う（ステップＳ７）。なお、報告切替指示を受け取っていない場合、ＵＥは、それまでの周波数グループについてのＣＱＩ報告を継続する。【００３７】
図６は、報告切替処理シーケンスに対応した実施の形態２の基地局およびＵＥの構成例を示す図である。図３と比較すると、ＵＥに報告切替判断部２６が追加されている。報告切替判断部２６は、品質情報整理部２２から品質比較結果に関する情報を取得すると、報告切替要求信号を作成し、それを送信信号選択部２４へ送る。また、報告切替判断部２６は、受信／復調／測定部２１から報告切替指示信号を受け取り、ＣＱＩ報告を行う周波数グループを品質情報整理部２６に指示する。一方、基地局では、報告切替指示信号を受信したスケジューリング部１３が、上記図５に示す処理で、システム的にまたは要求してきたＵＥにとって利益があると判断する場合に、報告対象周波数グループの切り替えを許可し、その後、変調／送信部１４が、前記報告対象周波数グループの切り替えを指示するための報告切替指示を返信する。【００３８】
このように、本実施の形態２では、ＣＱＩ報告の切り替えの最終判断権限をスケジューラ部にもたせている。スケジューラでは、他ＵＥからのＣＱＩ報告状況も考慮し、システム全体として利益がある場合に、または、切替要求を行ったＵＥに対して利益があり、他ＵＥに悪い影響がない場合に、対象ＵＥに対してＣＱＩ報告のグループ切り替えを許可することとした。その後、新しいグループのＣＱＩ報告値からスケジューリングを行う。これにより、同一周波数グループについて、たとえば、複数のＵＥから同時に切り替え要求が上がることで少なくとも一方については切り替えを許可できない場合、また、要求してきたＵＥに対する送信データ量が少なく、回線品質が悪い状態でも誤りに強い変調方式および誤り訂正冗長度で問題ない場合など、については許可を与えないことで、スケジューラアルゴリズムに柔軟性を持たせることができる。また、ＣＱＩ報告を行う現状の周波数グループを維持することで、それに対する最新のＣＱＩ値を獲得するメリットもある。さらに、データの再送を行うときには、初期送信と同じ周波数グループを使用することで、基地局からＵＥへ送る制御情報を省略できるメリットもある。【００３９】
なお、上記実施の形態１および実施の形態２の説明では、ＣＱＩ報告を実施する周波数グループの切り替えタイミング（実施の形態１に相当）、または、報告切替要求のタイミング（実施の形態２に相当）は、品質比較により、より良好な品質の周波数群を検出した場合としてきたが、これをデータ受信に失敗したときのみに限定することもできる。データ受信の失敗は、そのデータ送信に使用した周波数チャネルの品質が劣化していることを意味するため、データ送信に用いる周波数群を別の周波数グループに切り替える価値があると判断できる。逆に、品質が安定している場合には、現状の周波数チャネルを維持し、余計な情報を報告する必要がなく、無線回線の効率的な使用が実現できる。ただし、データ受信失敗については、１回でもよいが、これに限らず、受信失敗の確率がしきい値以上となったときとしてもよい。【００４０】
また、逆に、データ受信に失敗した場合、すなわち、ＮＡＣＫを返送する場合には、周波数グループの切り替えや報告切替要求は実行せず、ＡＣＫを返すときのみに限定することもできる。たとえば、再送を行う場合には、初期送信と同じデータを再び送るということで、それを復調するために必要な制御情報（変調方式や誤り訂正冗長度）を省略できる可能性が一般的に言われているが、加えて、初期送信と再送とで同じ周波数チャネルを使用する約束事を決めた場合には、さらに制御情報を省略できることになる。したがって、ＵＥが再送を要求するＮＡＣＫを送信する場合には、上記の動作（報告周波数グループの切り替えや報告切替要求）を行わない。【００４１】
また、上記実施の形態１および実施の形態２においては、ＣＱＩ報告を行う周波数グループを隣接する周波数群で形成していたが、本発明はこれに束縛されることなく、予め周波数間隔を決めていれば、離れた周波数群でＣＱＩ報告を実施する周波数グループを形成してもよい（図７参照）。この場合、この周波数間隔を意識しながら、スケジューラは、ＵＥへの周波数チャネル割り当てを実行する。【００４２】
また、上記実施の形態１および実施の形態２においては、隣接した周波数群でグループを形成する場合、図４の例のように、周波数群を一つずつずらして定義することとしたが、たとえば、オーバーラップのないグループ定義にしてもよい（図８参照）。
【産業上の利用可能性】
【００４３】
以上のように、本発明にかかるチャネル品質報告方法およびスケジューリング方法は、少なくとも１つの基地局とその基地局がカバーするサービスエリアに存在する複数（１つを含む）の端末とから構成された通信システムにおいて有用であり、特に、品質状態を測定する端末と当該測定結果を用いて複数の通信チャネルをスケジューリングする基地局とを備えた通信システムに適している。
【図１−１】
2007125702.tif 000003
【図１−２】
2007125702.tif 000004
【図２】
2007125702.tif 000005
【図３】
2007125702.tif 000006
【図４】
2007125702.tif 000007
【図５】
2007125702.tif 000008
【図６】
2007125702.tif 000009
【図７】
2007125702.tif 000010
【図８】
2007125702.tif 000011
【図９】
2007125702.tif 000012
【国際調査報告】
2007125702.tif 000013
2007125702.tif 000014